(57)【要約】      （修正有）【課題】ウェーブヘア作りの時間が短縮可能で、使い方や取外しも簡単という効果があるスピーディーパーマ用ロッドシートを提供する。【解決手段】軽量でかつ高伝熱性の長形アルミニウムシート１０を備えてなり、一体成形され、または、一枚のアルミニウムペーパーへの折畳みを重ねて成形された該アルミニウムシートは更に、不透明な耐熱シリコン１１の薄層で被覆する。これにより、毛髪を簡単でスピーディに巻き付け、ヘアスタイル作りが行われ、髪の毛元に固定してパーマを行うことができる。【選択図】図１
0003182324.tif 000002
【実用新案登録請求の範囲】
【請求項１】
手で簡単に巻付けられる、ヘアスタイル作りができる長形アルミニウムシートが備わり、該アルミニウムシートの厚さは２ｍｍ〜５ｍｍ、長さは５ｃｍ〜２０ｃｍ、及び幅は２ｃｍより小さく設けられており、
該アルミニウムシートを被覆するためのシリコンが備わっていることを特徴とするスピーディーパーマ用ロッドシート。
【請求項２】
該アルミニウムシートは、アルミニウムペーパーへの折畳みを重ねてなるものであることを特徴とする請求項１に記載のスピーディーパーマ用ロッドシート。
【請求項３】
該アルミニウムシートは、幅１ｃｍ〜２ｃｍで、幅広く設けられていることを特徴とする請求項１に記載のスピーディーパーマ用ロッドシート。
【請求項４】
該アルミニウムシートは、幅５ｍｍ〜１ｃｍで、幅狭く設けられていることを特徴とする請求項１に記載のスピーディーパーマ用ロッドシート。
【考案の詳細な説明】
【技術分野】
【０００１】
本考案は、スピーディーパーマ用ロッドシートに関わり、特に軽量でかつ高伝熱性の長形アルミニウムシートを備えてなり、一体成形され、または、一枚のアルミニウムペーパーへの折畳みを重ねて成形された該アルミニウムシートは更に、不透明な耐熱シリコンで、薄層で被覆されており、毛髪を簡単でスピーディに巻き付け、ヘアスタイル作りが行われ、髪の毛元に固定して、パーマを行うことに設けられていることに関する。
【背景技術】
【０００２】
一般的に使用されている従来のパーマロッドの使い方は、まず、毛束をパーマペーパーで包み、髪を巻き付け、それからロッドに巻き付けられ毛髪を、輪ゴムやピンで固定し、そこにパーマ液をかけるという流れになっているが、手間もかかり、使い方も不便なことである。
【０００３】
そして、一般的に使用されている円筒形パーマロッドは通常、直径が同一なもので、それで、同一毛束を、太めのウェーブと細めのウェーブにパーマすることができないから、豊かなヘアスタイル作りが困難なことである。
【０００４】
本考案は、従来のパーマロッドの欠点を改善することを目的とし、従来のパーマロッドに巻き付けられた毛髪を固定するための固定道具（例えば、輪ゴム、ピン）を使用せず、スピーディに毛髪の巻き付け、やヘアスタイル作りが行われ、髪の毛元に固定して、パーマを行い、そして、豊かなヘアスタイル作りができる、というパーマ用ロッドシートを提供することにある。
【０００５】
それに鑑みて、本考案の考案者は、その改善への研究に取り組み、使用上や機能上の制限を解決し、更にこのオリジナルで、実用性のある本考案のスピーディーパーマ用ロッドシートの開発を成功させ、人々に福をもたらすことを図っている。
【考案の開示】
【考案が解決しようとする課題】
【０００６】
本考案は、軽量でかつ高伝熱性の長形アルミニウムシートを備えてなり、一体成形され、または、一枚のアルミニウムペーパーへの折畳みを重ねて成形された該アルミニウムシートは更に、不透明な耐熱シリコンで、薄層で被覆されており、毛髪を簡単でスピーディに巻き付け、ヘアスタイル作りが行われ、髪の毛元に固定して、パーマを行うことに設けられ、ユニークで、豊かなパーマスタイルに仕上げられる、スピーディーパーマ用ロッドシートを提供する。
【課題を解決するための手段】
【０００７】
上述した目的を達成するため、本考案では、該アルミニウムシートは、幅の大きさにより、幅広いアルミニウムシート及び幅狭いアルミニウムシートがあり、厚さ２ｍｍ〜５ｍｍ、長さ５ｃｍ〜２０ｃｍ、そして幅１ｃｍ〜２ｃｍにあるのは幅広いアルミニウムシートで、ふわふわの髪型に使用され、幅５ｍｍ〜２ｃｍにあるのは幅狭いアルミニウムシートで、髪密度の濃い髪型に使用されていることを特徴とするスピーディーパーマ用ロッドシートである。
【０００８】
本考案の構造、組合せ、技術手段と効果に関して、更に図面を合わせて、例を挙げて次のように具体的に説明する。
【図面の簡単な説明】
【０００９】
【図１】本考案の好適な実施例の立体イメージ。
【図２】本考案の好適な実施例の局所拡大イメージ。
【図３】本考案の好適な実施例の巻付けの実施イメージ。
【図４】本考案の好適な実施例の巻付け完成イメージ。
【図５】本考案の好適な実施例の螺旋巻きの実施イメージ。
【考案を実施するための形態】
【００１０】
本考案は、スピーディーパーマ用ロッドシートで、それに合わせて参照する図面は、図１は本考案の好適な実施例の立体分解イメージ、図２はスピーディーパーマ用ロッドシートの局所拡大イメージ、図３はスピーディーパーマ用ロッドシートの巻付けの実施イメージ、図４はその巻付け完成イメージ、図５は螺旋巻きの実施イメージであり、本考案のパーマ用ロッドシート（１）は、アルミニウムシート（１０）とシリコン（１１）を備えてなるものである。
【００１１】
該アルミニウムシート（１０）は、軽量でかつ高伝熱性で、手で簡単に巻き付けられる、ヘアスタイル作りができる長形アルミニウムシートであり、該アルミニウムシート（１０）は、厚さ２ｍｍ〜５ｍｍ、長さ５ｃｍ〜２０ｃｍで、幅１ｃｍ〜２ｃｍにあるのは、幅広いアルミニウムシート（１０）で、ふわふわの髮型の使用に、幅５ｍｍ〜２ｃｍにあるのは、幅狭いアルミニウムシート（１０）で、髪密度の濃い髮型の使用に適用するが、本考案の該アルミニウムシート（１０）は、一体成形され、または、一枚のアルミニウムペーパーへの折畳みを重ねて成形され、上述した長さ、幅と厚さの範囲に適合するように設けられている該アルミニウムシート（１０）である。
【００１２】
該シリコン（１１）は、不透明な耐熱シリコンで、該アルミニウムシート（１０）を不透明な薄層に被覆するように設けられている。
【００１３】
図２に示すように、本考案のパーマ用ロッドシート（１）は、アルミニウムペーパーを折り畳んでなり、多種多様な実体寸法が可能になり、更に、不透明なシリコン（１１）を薄層で、該アルミニウムシート（１０）を被覆するように設けられる、構造局所の拡大図である。
【００１４】
図３、図４に示すのは、パーマ用ロッドシートの巻付けの実施イメージで、まず、パーマをかける部位の毛髪を、まっすぐに整えたあと、パーマペーパー（２）で包み、それから、本考案のパーマ用ロッドシート（１）を、該パーマペーパー（２）の中央に平らに置き、そして、該パーマペーパー（２）の両側に突き出すように設けるが、次は、該パーマ用ロッドシート（１）の片側を折り畳んで、パーマペーパー（２）を包むように、毛先から毛元へと巻き付けるようにするが、更に、他方側の該パーマ用ロッドシート（１）への折り畳みを完成してから、毛元に固定することになっており、本考案による毛髪の巻き付けは、簡単で、僅か数秒間で完成され、それに、簡単に取外せるというメリットもあり、従来のパーマロッドのように、パーマロッドに巻き付けられた毛髪を固定するための固定道具（例えば、輪ゴム、ピン）は不用で、効率が大幅に向上する。
【００１５】
図５に示すのは、螺旋巻きの実施例の実施イメージで、ストレートに整えられた毛髪をパーマ用ロッドシート（１）で、簡単にスピーディに巻き付け、螺旋巻きのヘヤスタイル作りが行われるから、更に多様化なパーマスタイルに仕上げられる。
【００１６】
本考案のパーマ用ロッドシートは、  従来のパーマロッドのように、パーマロッドに巻き付けられた毛髪を固定するための固定道具（例えば、輪ゴム、ピン）は不用で、毛髪をスピーディに巻き付け、ヘヤスタイル作りが行われ、毛元に固定してから、パーマをかけることが行われることになっており、パーマをかける部位には、幅広く、又は幅狭いパーマ用ロッドシートで巻き付けてもよく、更に豊かで、変化があるパーマスタイルに仕上げられる。本考案は、長年間、パーマ関係仕事に携わる経験や知恵を生かしたもので、ヘアウェーブ作りにも、スピーディでかつ確実に行われ、作業効率も向上するものであり、上述したように、本考案が確実に優れた産業上利用性、実用性があることを説明してきたが、このような優れたオリジナルな設計を以って、法の定めにより、実用新案登録出願を行う所以である。
【００１７】
上述した詳しい説明は、本考案の実施可能な実施例に関する具体的な説明であり、これらの実施例を以って、本考案の実用新案登録請求範囲を制限してはならず、本考案のコンセプトや考えに基づき、その実施や変更を行って、それと同等な効果を得たとしても、それらの実施や変更は、すべて本考案の実用新案登録請求範囲に含まるものとする。
【符号の説明】
【００１８】
パーマ用ロッドシート（１）
パーマペーパー      （２）
アルミニウムシート    （１０）
シリコン            （１１）
【図１】
0003182324.tif 000003
【図２】
0003182324.tif 000004
【図３】
0003182324.tif 000005
【図４】
0003182324.tif 000006
【図５】
0003182324.tif 000007